(57)【要約】  複数の空調機（１１０）が接続された空調ネットワーク（１８０）及び少なくとも１つの外部端末（１７０）が接続された無線ネットワーク（１８１）に接続された制御装置（１３０）であって、空調ネットワーク（１８０）から受信されたデータの送信元が、制御装置（１３０）の制御対象である場合には、制御装置（１３０）は、受信されたデータに基づいて、その送信元の運転状態を管理し、空調ネットワーク（１８０）から受信されたデータの送信元が、外部端末（１７０）の制御対象である場合には、制御装置（１３０）は、受信されたデータを無線ネットワーク（１８１）用のフォーマットで構成されているデータに変換して、変換後のデータを、空調ネットワーク（１８０）から受信されたデータの送信元を制御対象として制御している外部端末（１７０）に送信する。
2017163308.tif 000002
【特許請求の範囲】
【請求項１】
複数の制御対象機器が接続された第１のネットワーク及び少なくとも１つの外部端末が接続された第２のネットワークに接続された制御装置であって、
前記複数の制御対象機器の各々は、前記制御装置によって制御される第１の制御対象又は前記少なくとも一つの外部端末によって制御される第２の制御対象となっており、
前記第１のネットワークから、前記第１のネットワーク用の第１のフォーマットで構成されている第１のデータを受信する第１の通信部と、
前記第１のデータを、前記第２のネットワーク用の第２のフォーマットで構成されている第２のデータに変換する変換部と、
前記第２のネットワークに前記第２のデータを送信する第２の通信部と、
前記複数の制御対象機器の少なくとも一つの運転状態を管理する運転管理部と、を備え、
前記第１のデータの送信元が前記第１の制御対象である場合には、前記運転管理部は、前記第１のデータに基づいて、当該送信元の運転状態を管理し、
前記第１のデータの送信元が前記第２の制御対象である場合には、前記変換部は、前記第１のデータを前記第２のデータに変換し、前記第２の通信部は、当該変換後の第２のデータを、前記送信元を前記第２の制御対象として制御している外部端末に送信すること
を特徴とする制御装置。
【請求項２】
前記第１のデータの送信元が、前記第１の制御対象であるか、前記第２の制御対象であるかを判断する第１の通信制御部をさらに備えること
を特徴とする請求項１に記載の制御装置。
【請求項３】
前記複数の制御対象機器の内の一の制御対象機器を前記第２の制御対象として制御している外部端末が、全て、前記第２のネットワークに接続されなくなった場合に、前記一の制御対象機器を前記第１の制御対象に切り替える第２の通信制御部をさらに備えること
を特徴とする請求項１又は２に記載の制御装置。
【請求項４】
前記一の制御対象機器が前記第１の制御対象に切り替えられた場合に、前記一の制御対象機器が前記第１の制御対象に切り替えられた旨を示す情報を表示する表示部をさらに備えること
を特徴とする請求項３に記載の制御装置。
【請求項５】
前記一の制御対象機器が前記第１の制御対象に切り替えられた場合には、前記第１の通信部は、前記一の制御対象機器の運転状態を、前記第１の制御対象として制御している他の制御対象機器の運転状態に変更するように指令するデータを、前記一の制御対象機器へ送信すること
を特徴とする請求項３又は４に記載の制御装置。
【請求項６】
前記一の制御対象機器が前記第１の制御対象に切り替えられた場合には、前記第１の通信部は、運転停止を指令するデータを、前記一の制御対象機器へ送信すること
を特徴とする請求項３又は４に記載の制御装置。
【請求項７】
前記第２の通信部は、前記第２のネットワークから、前記第２のフォーマットで構成されている第３のデータを受信し、
前記第３のデータの送信元が前記外部端末である場合には、前記変換部は、前記第３のデータを、前記第１のフォーマットで構成されている第４のデータに変換し、前記第１の通信部は、当該変換後の第４のデータを、前記送信元により前記第２の制御対象として制御されている制御対象機器に送信すること
を特徴とする請求項１から６の何れか一項に記載の制御装置。
【請求項８】
前記第２の通信部は、前記第２のネットワークから、前記第２のフォーマットで構成されている第３のデータを受信し、
前記第３のデータの送信先が、前記複数の制御対象機器の内の一の制御対象機器である場合には、前記変換部は、前記第３のデータを、前記第１のフォーマットで構成されている第４のデータに変換し、前記第１の通信部は、当該変換後の第４のデータを、前記一の制御対象機器に送信すること
を特徴とする請求項１から３の何れか一項に記載の制御装置。
【請求項９】
前記第３のデータの送信先が前記一の制御対象機器である場合に、前記一の制御対象機器を、前記第３のデータの送信元の外部端末が制御する前記第２の制御対象に切り替える第２の通信制御部をさらに備えること
を特徴とする請求項８に記載の制御装置。
【請求項１０】
前記一の制御対象機器が前記第２の制御対象に切り替えられた場合に、前記一の制御対象機器が個別制御されている旨を示す情報を表示する表示部をさらに備えること
を特徴とする請求項９に記載の制御装置。
【請求項１１】
前記複数の制御対象機器の運転状態を変更する場合には、前記運転管理部は、前記一の制御対象機器を前記第１の制御対象に切り替え、前記第１の通信部は、運転状態の変更を指令するデータを、前記複数の制御対象機器へ同報通信で送信すること
を特徴とする請求項８又は９に記載の制御装置。
【請求項１２】
前記一の制御対象機器が前記第１の制御対象に切り替えられた場合に、前記一の制御対象機器が一括制御されている旨を示す情報を表示する表示部をさらに備えること
を特徴とする請求項１１に記載の制御装置。
【請求項１３】
前記複数の制御対象機器の中から、操作対象として選択されている制御対象機器の運転状態を変更する操作の入力を受け付ける入力部をさらに備え、
前記入力部が運転状態を変更する操作の入力を受けた際に、前記操作対象が前記第２の制御対象である場合に、前記第２の通信部は、変更後の運転状態を示すデータを、前記操作対象を前記第２の制御対象として制御している外部端末へ送信すること
を特徴とする請求項１に記載の制御装置。
【請求項１４】
情報を表示する表示部をさらに備え、
前記入力部は、前記操作対象として選択されている前記制御対象機器を変更する操作の入力を受け付け、
前記入力部が前記操作対象を変更する操作の入力を受け付けた際に、変更後の操作対象が前記第２の制御対象である場合には、前記表示部は、前記変更後の操作対象の運転状態を示す情報を表示すること
を特徴とする請求項１３に記載の制御装置。
【請求項１５】
第１のネットワークに接続された複数の制御対象機器、前記第１のネットワーク及び第２のネットワークに接続された第１の制御装置、並びに、前記第２のネットワークに接続された第２の制御装置、を備える制御システムにおいて、前記第１の制御装置又は前記第２の制御装置として機能する制御装置であって、
前記複数の制御対象機器の各々は、前記第１の制御装置により制御される第１の制御対象又は前記第２の制御装置により制御される第２の制御対象となっており、
前記第１のネットワークから、前記第１のネットワーク用の第１のフォーマットで構成されている第１のデータを受信する第１の通信部と、
前記第１のデータを前記第２のネットワーク用の第２のフォーマットで構成されている第２のデータに変換する変換部と、
前記第２のネットワークに前記第２のデータを送信する第２の通信部と、
前記複数の制御対象機器の少なくとも一つの運転状態を管理する運転管理部と、を備え、
前記制御装置は、前記第１の通信部により行われる通信が有効である場合には、前記第１の制御装置として機能し、
前記制御装置は、前記第１の通信部により行われる通信が無効である場合には、前記第２の制御装置として機能し、
前記制御装置が前記第１の制御装置として機能している場合には、前記第１のデータの送信元が前記第１の制御対象であるときに、前記運転管理部は、前記第１のデータに基づいて、当該送信元の運転状態を管理し、
前記制御装置が前記第１の制御装置として機能している場合には、前記第１のデータの送信元が前記第２の制御対象であるときに、前記変換部は、前記第１のデータを前記第２のデータに変換し、前記第２の通信部は、当該変換後の第２のデータを、当該送信元を前記第２の制御対象として制御している第２の制御装置に送信し、
前記制御装置が前記第２の制御装置として機能している場合には、前記運転管理部は、前記第２のデータに基づいて、前記第２のデータの送信元の運転状態を管理すること
を特徴とする制御装置。
【請求項１６】
第１のネットワークに接続された複数の制御対象機器、及び、当該第１のネットワーク及び少なくとも１つの外部端末が接続された第２のネットワークに接続された制御装置を備える制御システムであって、
前記複数の制御対象機器の各々は、前記制御装置によって制御される第１の制御対象又は前記少なくとも一つの外部端末によって制御される第２の制御対象となっており、
前記制御装置は、
前記第１のネットワークから、前記第１のネットワーク用の第１のフォーマットで構成されている第１のデータを受信する第１の通信部と、
前記第１のデータを、前記第２のネットワーク用の第２のフォーマットで構成されている第２のデータに変換する変換部と、
前記第２のネットワークに前記第２のデータを送信する第２の通信部と、
前記複数の制御対象機器の少なくとも一つの運転状態を管理する運転管理部と、を備え、
前記第１のデータの送信元が前記第１の制御対象である場合には、前記運転管理部は、前記第１のデータに基づいて、当該送信元の運転状態を管理し、
前記第１のデータの送信元が前記第２の制御対象である場合には、前記変換部は、前記第１のデータを前記第２のデータに変換し、前記第２の通信部は、当該変換後の第２のデータを、前記送信元を前記第２の制御対象として制御している外部端末に送信すること
を特徴とする制御システム。
【発明の詳細な説明】
【技術分野】
【０００１】
本発明は、制御装置及び制御システムに関し、特に、ネットワークに接続された複数の制御対象機器を制御する制御装置及び制御システムに関する。
【背景技術】
【０００２】
レストラン及びホテル等の設備において、複数台の空調機を、１か所で、かつ、部屋毎又はエリア毎といったように個別に、制御することが求められている。その際、例えば、各空調機に対してリモコンを用意して、そのリモコンを１か所に設置した場合、複数のリモコンが壁一面に設置されることになる。このような場合には、外観が損なわれてしまうほか、制御対象となる空調機用のリモコンを見つけるのに時間がかかる。【０００３】
これに対し、特許文献１には、壁付けコントローラがアクセスポイントと有線で接続され、このアクセスポイントを介して、無線端末と通信を行うことができるシステムが開示されている。そして、この壁付けコントローラは、無線端末からの指令を受けて空調機を制御する。
【先行技術文献】
【特許文献】
【０００４】
【特許文献１】特開２０１５−６４１５４号公報
【発明の概要】
【発明が解決しようとする課題】
【０００５】
しかしながら、集中端末となる壁付けコントローラは、アクセスポイントと有線で接続されているため、システムが大規模となり、設置に大きな労力が必要となる。【０００６】
そこで、本発明は、外部端末を用いて複数の空調機を集中的に制御することのでき、かつ、容易に設置することのできる制御装置を提供することを目的とする。
【課題を解決するための手段】
【０００７】
本発明の第１の態様に係る制御装置は、複数の制御対象機器が接続された第１のネットワーク及び少なくとも１つの外部端末が接続された第２のネットワークに接続された制御装置であって、前記複数の制御対象機器の各々は、前記制御装置によって制御される第１の制御対象又は前記少なくとも一つの外部端末によって制御される第２の制御対象となっており、前記第１のネットワークから、前記第１のネットワーク用の第１のフォーマットで構成されている第１のデータを受信する第１の通信部と、前記第１のデータを、前記第２のネットワーク用の第２のフォーマットで構成されている第２のデータに変換する変換部と、前記第２のネットワークに前記第２のデータを送信する第２の通信部と、前記複数の制御対象機器の少なくとも一つの運転状態を管理する運転管理部と、を備え、前記第１のデータの送信元が前記第１の制御対象である場合には、前記運転管理部は、前記第１のデータに基づいて、当該送信元の運転状態を管理し、前記第１のデータの送信元が前記第２の制御対象である場合には、前記変換部は、前記第１のデータを前記第２のデータに変換し、前記第２の通信部は、当該変換後の第２のデータを、前記送信元を前記第２の制御対象として制御している外部端末に送信することを特徴とする。【０００８】
本発明の第２の態様に係る制御装置は、第１のネットワークに接続された複数の制御対象機器、前記第１のネットワーク及び第２のネットワークに接続された第１の制御装置、並びに、前記第２のネットワークに接続された第２の制御装置、を備える制御システムにおいて、前記第１の制御装置又は前記第２の制御装置として機能する制御装置であって、前記複数の制御対象機器の各々は、前記第１の制御装置により制御される第１の制御対象又は前記第２の制御装置により制御される第２の制御対象となっており、前記第１のネットワークから、前記第１のネットワーク用の第１のフォーマットで構成されている第１のデータを受信する第１の通信部と、前記第１のデータを前記第２のネットワーク用の第２のフォーマットで構成されている第２のデータに変換する変換部と、前記第２のネットワークに前記第２のデータを送信する第２の通信部と、前記複数の制御対象機器の少なくとも一つの運転状態を管理する運転管理部と、を備え、前記制御装置は、前記第１の通信部により行われる通信が有効である場合には、前記第１の制御装置として機能し、前記制御装置は、前記第１の通信部により行われる通信が無効である場合には、前記第２の制御装置として機能し、前記制御装置が前記第１の制御装置として機能している場合には、前記第１のデータの送信元が前記第１の制御対象であるときに、前記運転管理部は、前記第１のデータに基づいて、当該送信元の運転状態を管理し、前記制御装置が前記第１の制御装置として機能している場合には、前記第１のデータの送信元が前記第２の制御対象であるときに、前記変換部は、前記第１のデータを前記第２のデータに変換し、前記第２の通信部は、当該変換後の第２のデータを、当該送信元を前記第２の制御対象として制御している第２の制御装置に送信し、前記制御装置が前記第２の制御装置として機能している場合には、前記運転管理部は、前記第２のデータに基づいて、前記第２のデータの送信元の運転状態を管理することを特徴とする。【０００９】
本発明の一態様に係る制御システムは、第１のネットワークに接続された複数の制御対象機器、及び、当該第１のネットワーク及び少なくとも１つの外部端末が接続された第２のネットワークに接続された制御装置を備える制御システムであって、前記複数の制御対象機器の各々は、前記制御装置によって制御される第１の制御対象又は前記少なくとも一つの外部端末によって制御される第２の制御対象となっており、前記制御装置は、前記第１のネットワークから、前記第１のネットワーク用の第１のフォーマットで構成されている第１のデータを受信する第１の通信部と、前記第１のデータを、前記第２のネットワーク用の第２のフォーマットで構成されている第２のデータに変換する変換部と、前記第２のネットワークに前記第２のデータを送信する第２の通信部と、前記複数の制御対象機器の少なくとも一つの運転状態を管理する運転管理部と、を備え、前記第１のデータの送信元が前記第１の制御対象である場合には、前記運転管理部は、前記第１のデータに基づいて、当該送信元の運転状態を管理し、前記第１のデータの送信元が前記第２の制御対象である場合には、前記変換部は、前記第１のデータを前記第２のデータに変換し、前記第２の通信部は、当該変換後の第２のデータを、前記送信元を前記第２の制御対象として制御している外部端末に送信することを特徴とする。
【発明の効果】
【００１０】
本発明の一態様によれば、外部端末と直接通信することのできる制御装置を用いているため、外部端末を用いて複数の空調機を集中的に制御することのでき、かつ、容易に設置することのできる制御装置を提供することができる。
【図面の簡単な説明】
【００１１】
【図１】実施の形態１、２及び３に係る空気調和システムの構成を概略的に示すブロック図である。
【図２】実施の形態１〜４における空調機の構成を概略的に示すブロック図である。
【図３】（Ａ）及び（Ｂ）は、ハードウェア構成の一例を示す概略図である。
【図４】実施の形態１及び２における制御装置の構成を概略的に示すブロック図である。
【図５】実施の形態１及び４における外部端末の構成を概略的に示すブロック図である。
【図６】実施の形態１における制御装置の動作を示すフローチャートである。
【図７】実施の形態１における、受信されたデータに基づいて内部の運転状態を更新する処理を示すフローチャートである。
【図８】実施の形態１における、受信されたデータを変換して空調ネットワークに中継する処理を示すフローチャートである。
【図９】実施の形態１における、制御装置が直接制御する対象を切り替える処理を示すフローチャートである。
【図１０】実施の形態１における、管理している運転状態を変更する処理を示すフローチャートである。
【図１１】実施の形態２における制御装置の動作を示すフローチャートである。
【図１２】実施の形態２における、受信されたデータに基づいて内部の運転状態を更新する処理を示すフローチャートである。
【図１３】実施の形態２における、受信されたデータを変換して空調ネットワークに中継する処理を示すフローチャートである。
【図１４】実施の形態２における、管理している運転状態を変更する処理を示すフローチャートである。
【図１５】実施の形態３に係る空気調和システムの構成を概略的に示すブロック図である。
【図１６】実施の形態３における制御装置の構成を概略的に示すブロック図である。
【図１７】実施の形態３における制御装置の動作を示すフローチャートである。
【図１８】実施の形態３における、管理している運転状態を変更する処理を示すフローチャートである。
【図１９】実施の形態４における制御装置の構成を概略的に示すブロック図である。
【図２０】実施の形態４における制御装置の動作を示すフローチャートである。
【図２１】実施の形態４における制御装置により操作を行う対象を変更する処理を示すフローチャートである。
【発明を実施するための形態】
【００１２】
実施の形態１．
図１は、実施の形態１に係る制御システムとしての空気調和システム１００の構成を概略的に示すブロック図である。
空気調和システム１００は、１つ以上の空気調和機としての空調機１１０Ａ〜１１０Ｅ（以下、特に各々を区別する必要がない場合には、空調機１１０という）と、空気調和機制御装置としての制御装置１３０と、１つ以上の外部端末１７０Ａ〜１７０Ｄ（以下、特に各々を区別する必要がない場合には、外部端末１７０という）とを備える。
【００１３】
空調機１１０及び制御装置１３０は、第１のネットワークである空調ネットワーク１８０に接続されており、制御装置１３０及び外部端末１７０は、第２のネットワークである無線ネットワーク１８１に接続されている。
空調ネットワーク１８０は、例えば、通信線で接続された通信ネットワークであり、空調メーカーの独自の規格による通信ネットワークである。
無線ネットワーク１８１は、空調ネットワーク１８０とは異なる規格による通信ネットワークである。無線ネットワーク１８１の規格は、近距離無線通信を想定した規格、例えば、Ｂｌｕｅｔｏｏｔｈ（登録商標）等である。空調ネットワーク１８０で送受信されているデータのフォーマットと、無線ネットワーク１８１で送受信されているデータのフォーマットとは、異なっている。
【００１４】
また、空調機１１０Ａ〜１１０Ｅは、異なる部屋に設置されている。空調機１１０Ａと、制御装置１３０とは、近くに設置されている。このため、制御装置１３０は、空調機１１０Ａは、制御装置１３０で制御し、空調機１１０Ｂ〜１１０Ｅは、外部端末１７０で制御すると便利である。
ここで、空調機１１０は、制御装置１３０又は外部端末１７０で制御する制御対象機器である。
外部端末１７０は、スマートホン又はタブレットＰＣ等の無線通信機能を有する端末である。
【００１５】
図２は、空調機１１０の構成を概略的に示すブロック図である。
空調機１１０は、空調通信部１１１と、機器制御部１１２と、空調機本体１１３とを備える。
空調通信部１１１は、空調ネットワーク１８０を介して通信を行う。例えば、空調通信部１１１は、空調ネットワーク１８０からデータを受信するとともに、空調ネットワークにデータを送信する。
機器制御部１１２は、冷媒回路１１３ａ、ルーバー１１３ｂ及びファン１１３ｃといった空調機１１０の内部のデバイス群である空調機本体１１３を制御する。
空調機本体１１３は、空調を実行する。
【００１６】
以上に記載された空調機１１０の機器制御部１１２の一部又は全部は、例えば、図３（Ａ）に示されているように、メモリ１９０と、メモリ１９０に格納されているプログラムを実行するＣＰＵ（Ｃｅｎｔｒａｌ  Ｐｒｏｃｅｓｓｉｎｇ  Ｕｎｉｔ）等のプロセッサ１９１とにより構成することができる。このようなプログラムは、ネットワークを通じて提供されてもよく、また、記録媒体に記録されて提供されてもよい。
【００１７】
また、機器制御部１１２の一部又は全部は、例えば、図３（Ｂ）に示されているように、単一回路、復号回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１９２で構成することもできる。
なお、空調通信部１１１は、通信ネットワーク用のインタフェースにより構成することができる。
【００１８】
図４は、制御装置１３０の構成を概略的に示すブロック図である。
制御装置１３０は、空調通信部１３１と、無線通信部１３２と、記憶部１３３と、制御部１４０と、操作インタフェース部１５０とを備える。
空調通信部１３１は、空調ネットワーク１８０を介して通信を行う第１の通信部である。例えば、空調通信部１３１は、空調ネットワーク１８０からデータを受信するとともに、空調ネットワーク１８０にデータを送信する。ここで、空調通信部１３１が受信するデータを第１のデータ、空調通信部１３１が送信するデータを第４のデータともいう。第１のデータ及び第４のデータは、空調ネットワーク１８０用のフォーマットである第１のフォーマットで構成されている。
【００１９】
無線通信部１３２は、無線ネットワーク１８１を介して通信を行う第２の通信部である。例えば、無線通信部１３２は、無線ネットワーク１８１からデータを受信するとともに、無線ネットワーク１８１にデータを送信する。ここで、無線通信部１３２が送信するデータを第２のデータ、無線通信部１３２が受信するデータを第３のデータともいう。第２のデータ及び第３のデータは、無線ネットワーク１８１用のフォーマットである第２のフォーマットで構成されている。
【００２０】
記憶部１３３は、制御装置１３０での処理に必要な情報を記憶する。
例えば、記憶部１３３は、制御対象情報、運転状態情報、外部端末情報及びスケジュール情報を記憶する。
制御対象情報は、制御装置１３０が制御対象とする空調機１１０を示す情報である。例えば、制御対象情報は、制御装置１３０が制御対象とする空調機１１０を識別するための空調機識別情報である空調機ＩＤを示す情報である。ここで、制御装置１３０が制御する制御対象を第１の制御対象ともいう。
運転状態情報は、空調機１１０毎に、空調機１１０の運転状態を示す情報である。例えば、運転状態情報は、空調機１１０毎に、空調機１１０を識別するための空調機ＩＤと、運転状態とを対応付ける情報である。
【００２１】
外部端末情報は、外部端末１７０毎に、外部端末１７０が制御対象とする空調機１１０を示す情報である。例えば、外部端末情報は、外部端末１７０毎に、制御装置１３０に中継対象として登録されている外部端末１７０を識別するための外部端末識別情報である外部端末ＩＤと、制御対象とする空調機１１０の空調機ＩＤとを対応付ける情報である。ここで、外部端末１７０が制御する制御対象を第２の制御対象ともいう。
スケジュール情報は、制御装置１３０が制御対象とする空調機１１０の運転状態を変更するスケジュールを示す情報である。例えば、スケジュール情報は、制御装置１３０が制御対象とする空調機１１０毎に、空調機１１０を識別するための空調機ＩＤと、運転状態を変更する日時と、運転状態を変更する内容とを対応付けた情報である。
【００２２】
制御部１４０は、制御装置１３０での処理を制御する。
制御部１４０は、空調通信制御部１４１と、無線通信制御部１４２と、データ変換部１４３と、空調運転管理部１４４とを備える。
【００２３】
空調通信制御部１４１は、空調通信部１３１により行われる通信を制御する第１の通信制御部である。
例えば、空調通信制御部１４１は、記憶部１３３に記憶されている制御対象情報を参照して、空調通信部１３１で受信されたデータの送信元が、制御装置１３０が制御対象とする空調機１１０か否かを判断する。そして、空調通信部１３１で受信されたデータの送信元が、制御装置１３０の制御対象である場合には、空調通信制御部１４１は、空調運転管理部１４４に、受信されたデータに基づいて、その送信元の運転状態の管理を行わせる。一方、空調通信部１３１で受信されたデータの送信元が、制御装置１３０の制御対象ではない場合、言い換えると、空調通信部１３１で受信されたデータの送信元が、外部端末１７０の制御対象である場合には、空調通信制御部１４１は、データ変換部１４３に、受信されたデータのフォーマットを無線ネットワーク１８１用のフォーマットに変換させる。そして、空調通信制御部１４１は、無線通信制御部１４２に、変換後のデータを、無線通信部１３２から、その送信元を制御対象として制御している外部端末１７０に送信させる。
【００２４】
無線通信制御部１４２は、無線通信部１３２により行われる通信を制御する第２の通信制御部である。
例えば、無線通信制御部１４２は、記憶部１３３に記憶されている外部端末情報を参照して、無線通信部１３２で受信されたデータの送信元が、制御装置１３０に登録されている外部端末１７０であるか否かを判断する。無線通信部１３２で受信されたデータの送信元が、制御装置１３０に登録されている外部端末１７０である場合には、無線通信制御部１４２は、データ変換部１４３に、受信されたデータのフォーマットを空調ネットワーク１８０用のフォーマットに変換させる。そして、無線通信制御部１４２は、変換後のデータを、空調通信制御部１４１に、空調通信部１３１からその外部端末１７０が制御対象として制御している空調機１１０に送信させる。
なお、無線通信部１３２で受信されたデータの送信元が、制御装置１３０に登録されている外部端末１７０ではない場合には、無線通信制御部１４２は、受信されたデータを破棄し、未登録端末から制御指令があった旨を示す情報を操作インタフェース部１５０に表示させる。さらに、無線通信制御部１４２は、無線通信部１３２に、制御指令を破棄した旨を通知するデータを、無線通信部１３２で受信されたデータの送信元の外部端末１７０へ送信させる。
【００２５】
さらに、無線通信制御部１４２は、外部端末１７０からの新たな接続の確立、及び、接続済みの外部端末１７０の接続の切断を監視する。
例えば、無線通信制御部１４２は、記憶部１３３に記憶されている外部端末情報を参照して、ある空調機１１０を制御対象としている全ての外部端末１７０が、無線ネットワーク１８１に接続されなくなった場合には、記憶部１３３に記憶されている制御対象情報を更新することで、この空調機１１０を制御装置１３０の制御対象に切り替える。
この場合、無線通信制御部１４２は、操作インタフェース部１５０に、その空調機１１０が制御装置１３０の制御対象に切り替わった旨を示す情報を表示させる。
この場合には、さらに、無線通信制御部１４２は、空調通信制御部１４１に、その空調機１１０の運転状態を、制御装置１３０が制御対象として制御している他の空調機１１０の運転状態に変更するように指令するデータを、空調通信部１３１からその空調機１１０へ送信させてもよい。または、無線通信制御部１４２は、空調通信制御部１４１に、運転停止を指令するデータを、空調通信部１３１からその空調機１１０へ送信させてもよい。
【００２６】
データ変換部１４３は、データの変換を行う。例えば、データ変換部１４３は、空調ネットワーク１８０用のフォーマットで構成されているデータを、無線ネットワーク１８１用のフォーマットで構成されているデータに変換する。また、データ変換部１４３は、無線ネットワーク１８１用のフォーマットで構成されているデータを、空調ネットワーク１８０用のフォーマットで構成されているデータに変換する。
具体的には、空調ネットワーク１８０のフォーマットが、「送信先ＩＤ」、「送信元ＩＤ」及び「データ本体」であり、無線ネットワーク１８１のフォーマットが、「送信元ＩＤ」、「送信先ＩＤ」及び「データ本体」であった場合には、データ変換部１４３は、これらのフォーマットに基づいて、データの変換を行う。なお、本実施の形態では、送信元ＩＤ及び送信先ＩＤとして、空調機ＩＤ、外部端末ＩＤ又は制御装置１３０を識別するための識別情報である制御装置ＩＤが用いられているものとする。なお、送信元ＩＤ及び送信先ＩＤは、記憶部１３３に記憶されている情報に基づいて、空調機ＩＤ、外部端末ＩＤ又は制御装置１３０を特定することができる情報であってもよい。
【００２７】
空調運転管理部１４４は、空調機１１０の運転状態を管理する運転管理部である。例えば、空調運転管理部１４４は、制御装置１３０が制御対象とする空調機１１０の運転状態を保持し、スケジュール運転又はユーザ操作に従って、空調機１１０の運転状態の変更を指令する。
空調運転管理部１４４は、運転状態保持部１４４ａと、運転部１４４ｂとを備える。
運転状態保持部１４４ａは、空調通信制御部１４１から与えられたデータの送信元である空調機１１０の運転状態が、このデータで示されている運転状態となるように、記憶部１３３に記憶されている運転状態情報を更新する。また、運転状態保持部１４４ａは、記憶部１３３に記憶されている運転状態情報を更新する。
運転部１４４ｂは、記憶部１３３に記憶されているスケジュール情報に基づくスケジュール運転又はユーザ操作に従って、対応する空調機１１０の運転状態を変更する必要があるか否かを判断する。運転部１４４ｂは、対応する空調機１１０の運転状態を変更する必要があると判断した場合には、運転状態保持部１４４ａに指示することで、対応する空調機１１０の運転状態を変更させるように指示するとともに、空調通信制御部１４１に、運転状態を変更する指令を示すデータを、対応する空調機１１０へ送信させる。
【００２８】
操作インタフェース部１５０は、表示及び操作の入力を行う。
操作インタフェース部１５０は、表示部１５１と、入力部１５２とを備える。
表示部１５１は、制御部１４０からの指示に応じて、情報を表示する。例えば、表示部１５１は、液晶等のディスプレイにより構成することができる。
入力部１５２は、操作の入力を受け付け、入力された内容を制御部１４０に通知する。例えば、入力部１５２は、ボタンにより構成することができる。
【００２９】
以上に記載された制御装置１３０の制御部１４０の一部又は全部は、例えば、図３（Ａ）に示されているように、メモリ１９０と、メモリ１９０に格納されているプログラムを実行するＣＰＵ等のプロセッサ１９１とにより構成することができる。
【００３０】
また、機器制御部１１２の一部又は全部は、例えば、図３（Ｂ）に示されているように、単一回路、復号回路、プログラム化したプロセッサ、並列プログラム化したプロセッサ、ＡＳＩＣ又はＦＰＧＡ等の処理回路１９２で構成することもできる。
なお、記憶部１３３は、例えば、図３（Ａ）に示されているメモリ１９０により構成することができる。
また、空調通信部１３１及び無線通信部１３２は、それぞれの通信規格に応じた通信ネットワーク用のインタフェースにより構成することができる。
【００３１】
図５は、外部端末１７０の構成を概略的に示すブロック図である。
外部端末１７０は、無線通信部１７１と、記憶部１７２と、制御部１７３と、操作インタフェース部１７６とを備える。
【００３２】
無線通信部１７１は、無線ネットワーク１８１を介して通信を行う。例えば、無線通信部１７１は、無線ネットワーク１８１からのデータを受信するとともに、無線ネットワーク１８１へデータを送信する。
記憶部１７２は、外部端末１７０での処理に必要な情報を記憶する。例えば、記憶部１７２は、運転状態情報及びスケジュール情報を記憶する。
運転状態情報は、外部端末１７０が制御対象とする空調機１１０の運転状態を示す情報である。例えば、運転状態情報は、外部端末１７０が制御対象とする空調機１１０毎に、空調機１１０を識別するための空調機ＩＤと、運転状態とを対応付けた情報である。
スケジュール情報は、外部端末１７０が制御対象とする空調機１１０の運転状態を変更するスケジュールを示す情報である。例えば、スケジュール情報は、外部端末１７０が制御対象とする空調機１１０毎に、空調機１１０を識別するための空調機ＩＤと、運転状態を変更する日時と、運転状態を変更する内容とを対応付ける情報である。
【００３３】
制御部１７３は、外部端末１７０での処理を制御する。
制御部１７３は、無線通信制御部１７４と、空調運転管理部１７５とを備える。
無線通信制御部１７４は、無線通信部１７１により行われる通信を制御する。
空調運転管理部１７５は、外部端末１７０が制御対象とする空調機１１０の運転状態を管理する。例えば、空調運転管理部１７５は、外部端末１７０が制御対象とする空調機１１０の運転状態を保持し、スケジュール運転又はユーザ操作に従って、空調機１１０の運転状態の変更を指令する。
【００３４】
操作インタフェース部１７６は、表示及び操作の入力を行う。例えば、操作インタフェース部１７６は、表示を行う表示部及び操作の入力を受け付ける入力部として機能するタッチパネル等により構成することができる。
【００３５】
以上に記載された外部端末１７０の制御部１７３の一部又は全部は、例えば、図３（Ａ）に示されているように、メモリ１９０と、メモリ１９０に格納されているプログラムを実行するＣＰＵ等のプロセッサ１９１とにより構成することができる。
【００３６】
また、制御部１７３の一部又は全部は、例えば、図３（Ｂ）に示されているように、単一回路、復号回路、プログラム化したプロセッサ、並列プログラム化したプロセッサ、ＡＳＩＣ又はＦＰＧＡ等の処理回路１９２で構成することもできる。
なお、記憶部１７２は、例えば、図３（Ａ）に示されているメモリ１９０により構成することができる。
また、無線通信部１７１は、通信ネットワーク用のインタフェースにより構成することができる。
【００３７】
図６は、制御装置１３０の動作を示すフローチャートである。
制御装置１３０の動作は、図６に示されているように、４つの処理に大別され、それらは繰り返し実行される。
【００３８】
ステップＳ１
空調通信制御部１４１は、空調通信部１３１が空調ネットワーク１８０からデータを受信したか否かを監視する（Ｓ１０）。空調通信部１３１がデータを受信した場合（Ｓ１１でＹＥＳ）には、処理はステップＳ１２に進み、空調通信部１３１がデータを受信していない場合（Ｓ１１でＮＯ）には、処理はステップＳ２に進む。
ステップＳ１２では、制御装置１３０は、受信されたデータに基づいて内部の運転状態を更新する処理を実行する。なお、ステップＳ１２での処理については、図７を用いて説明する。
【００３９】
ステップＳ２
無線通信制御部１４２は、無線通信部１３２が無線ネットワーク１８１からデータを受信したか否かを監視する（Ｓ１３）。無線通信部１３２がデータを受信した場合（Ｓ１４でＹＥＳ）には、処理はステップＳ１５に進み、無線通信部１３２がデータを受信していない場合（Ｓ１４でＮＯ）には、処理はステップＳ３に進む。
ステップＳ１５では、制御装置１３０は、受信されたデータを変換して空調ネットワーク１８０に中継する処理を実行する。なお、ステップＳ１５での処理については、図８を用いて説明する。
【００４０】
ステップＳ３
無線通信制御部１４２は、無線通信部１３２を用いて、無線ネットワーク１８１を介して接続する外部端末１７０の接続状態を監視する（Ｓ１６）。外部端末１７０の接続状態に変化がある場合（Ｓ１７でＹＥＳ）には、処理はステップＳ１８に進み、外部端末１７０の接続状態に変化がない場合（Ｓ１７でＮＯ）には、処理はステップＳ４に進む。
ステップＳ１８では、新規端末の追加又は接続端末の切断が発生した場合に、制御装置１３０が直接制御する対象を切り替える処理を実行する。なお、ステップＳ１８での処理については、図９を用いて説明する。
【００４１】
ステップＳ４
空調運転管理部１４４は、操作インタフェース部１５０への入力又は記憶部１３３に記憶されているスケジュール情報に基づくスケジュール運転のイベントが発生したか否かを監視する（Ｓ１９）。入力又はイベントが発生した場合（Ｓ２０でＹＥＳ）には、処理はステップＳ２１に進み、入力又はイベントが発生していない場合（Ｓ２０でＮＯ）には、処理は終了する。
ステップＳ２１では、制御装置１３０は、管理している運転状態を変更する処理を実行する。なお、ステップＳ２１での処理については、図１０を用いて説明する。
【００４２】
図７は、図６のステップＳ１２における、受信されたデータに基づいて内部の運転状態を更新する処理を示すフローチャートである。
空調通信制御部１４１は、空調通信部１３１で受信されたデータの送信元を解析し、記憶部１３３に記憶されている制御対象情報を参照することで、受信されたデータの送信元が制御装置１３０の制御対象であるか否かを確認する（Ｓ３０）。受信されたデータの送信元が制御装置１３０の制御対象である場合（Ｓ３１でＹＥＳ）には、処理はステップＳ３２に進み、受信されたデータの送信元が制御装置１３０の制御対象ではない場合（Ｓ３１でＮＯ）には、処理はステップＳ３３に進む。
【００４３】
ステップＳ３２では、空調運転管理部１４４の運転状態保持部１４４ａは、受信されたデータの解析結果に基づいて、記憶部１３３に記憶されている運転状態情報を更新する。また、操作インタフェース部１５０の表示部１５１は、更新された運転状態を示す情報を表示する。
【００４４】
ステップＳ３３では、データ変換部１４３は、受信されたデータを、無線ネットワーク１８１用のフォーマットのデータに変換する。例えば、データ変換部１４３は、受信されたデータのデータ本体を暗号化した上で、記憶部１３３に記憶されている外部端末情報を参照して、送信元の空調機１１０を制御対象とする外部端末１７０を宛先とする無線ネットワーク１８１用のヘッダを付与する。そして、データ変換部１４３は、変換後のデータを無線通信制御部１４２に与え、無線通信部１３２から送出させる。
なお、運転状態保持部１４４ａは、ステップＳ３３においても、データ変換部１４３から受信されたデータを受け取り、受信されたデータの解析結果に基づいて、記憶部１３３に記憶されている運転状態情報を更新してもよい。
【００４５】
図８は、図６のステップＳ１５における、受信されたデータを変換して空調ネットワーク１８０に中継する処理を示すフローチャートである。
無線通信制御部１４２は、無線通信部１３２で受信されたデータの送信元を解析し、記憶部１３３に記憶されている外部端末情報を参照することで、受信されたデータの送信元が制御装置１３０に中継対象として登録されている外部端末１７０であるか否かを確認する（Ｓ４０）。受信されたデータの送信元が制御装置１３０の中継対象である場合（Ｓ４１でＹＥＳ）には、処理はステップＳ４２に進み、受信されたデータの送信元が制御装置１３０の中継対象ではない場合（Ｓ４１でＮＯ）には、処理はステップＳ４３に進む。
【００４６】
ステップＳ４２では、データ変換部１４３は、受信されたデータを、空調ネットワーク１８０用のフォーマットのデータに変換する。例えば、データ変換部１４３は、受信されたデータのヘッダを除いた部分（データ本体）を復号化した上で、受信されたデータのヘッダを空調ネットワーク１８０のヘッダに変換する。そして、データ変換部１４３は、変換後のデータを空調通信制御部１４１に与え、空調通信部１３１から送出させる。なお、ここでは、外部端末１７０から送られるデータに、制御対象の空調機１１０の空調機ＩＤが宛先として付与されているものとしたが、データ変換部１４３が、記憶部１３３に記憶されている外部端末情報に基づいて、外部端末１７０が制御対象とする空調機１１０の空調機ＩＤを宛先として付与してもよい。また、データ変換部１４３は、受信されたデータの送信元を制御装置１３０に変換してもよい。
なお、運転状態保持部１４４ａは、ステップＳ４２においても、データ変換部１４３から受信されたデータを受け取り、受信されたデータの解析結果に基づいて、記憶部１３３に記憶されている運転状態情報を更新してもよい。
【００４７】
ステップＳ４３では、操作インタフェース部１５０の表示部１５１は、未登録端末からの制御指令があった旨を示す情報を表示する。この時、無線通信制御部１４２は、受信されたデータを破棄する。そして、無線通信制御部１４２は、無線通信部１３２に、破棄した旨を示すデータを、送信元である外部端末１７０に送信させることで、破棄した旨を、送信元の外部端末１７０に通知する。
【００４８】
図９は、図６のステップＳ１８における、制御装置１３０が直接制御する対象を切り替える処理を示すフローチャートである。
無線通信制御部１４２は、無線ネットワーク１８１を介して無線通信部１３２に接続する外部端末１７０の接続状態を監視し、新規端末の追加が発生したか否かを確認する（Ｓ５０）。例えば、無線通信制御部１４２は、一般的な無線モジュールにおける接続検知機能を利用して、新規端末の追加が発生したか否かを確認する。具体的には、無線ネットワーク１８１がＢｌｕｅｔｏｏｔｈである場合には、外部端末１７０から接続要求を受け付ける、又は、外部端末１７０が発信する電波の受信をトリガに接続要求を発行することで、新規接続を検知する。新規端末の追加が発生した場合（Ｓ５０でＹＥＳ）には、処理はステップＳ５１に進み、新規端末の追加が発生していない場合（Ｓ５０でＮＯ）には、処理はステップＳ５４に進む。
【００４９】
ステップＳ５１では、操作インタフェース部１５０の表示部１５１は、新規端末が接続された旨を示す情報と、接続先の空調機１１０の空調機ＩＤを入力するためのインタフェースとを表示する（Ｓ５１）。そして、操作インタフェース部１５０は、ユーザから接続先の空調機１１０の空調機ＩＤの入力を受け付けて、処理はステップＳ５２に進む。なお、過去に接続した外部端末１７０であれば、そのときの制御対象の空調機１１０を引き継ぐ動作としてもよい。また、外部端末１７０で制御対象の空調機１１０を指定する動作としてもよい。
【００５０】
ステップＳ５２では、空調通信制御部１４１は、記憶部１３３に記憶されている制御対象情報において、新たに接続した外部端末１７０の制御対象として指定された空調機１１０の空調機ＩＤを削除する。また、空調通信制御部１４１は、記憶部１３３に記憶されている外部端末情報において、新たに接続した外部端末１７０の外部端末ＩＤと、この外部端末１７０の制御対象として指定された空調機１１０の空調機ＩＤとを対応付ける。
【００５１】
そして、空調運転管理部１４４の運転状態保持部１４４ａは、記憶部１３３に記憶されている運転状態情報を参照することで、新たに接続した外部端末１７０の制御対象として指定された空調機１１０の運転状態を示すデータを無線通信制御部１４２に与えることで、このデータを無線通信部１３２から送信させる。これにより、新たに接続した外部端末１７０に、制御対象の運転状態が通知される。なお、このようなデータを受信した外部端末１７０では、空調運転管理部１７５が受信されたデータで示される運転状態を、記憶部１７２に記憶されている運転状態情報に格納する。
ここでは、制御元を外部端末１７０に切り替える際に、現在の運転状態を継続する動作としたが、このような例に限定されない。例えば、空調運転管理部１４４は、対象となった空調機１１０の運転を停止する指令を示すデータを、空調通信制御部１４１に与え、空調通信部１３１からその空調機１１０に送信させることで、その空調機１１０を停止させる動作としてもよい。
【００５２】
ステップＳ５４では、無線通信制御部１４２は、無線ネットワーク１８１を介して無線通信部１３２に接続する外部端末１７０の接続状態を監視し、外部端末１７０の接続が切断されたか否かを確認する。例えば、無線通信制御部１４２は、一般的な無線モジュールにおける切断検知機能を利用して、外部端末１７０の接続の切断が発生したか否かを確認する。具体的には、無線通信制御部１４２は、無線通信部１３２に、接続されている外部端末１７０へ、生存確認パケットを定期的に送信させて、その応答であるＡＣＫが返信されてこなかった場合に、切断されたと判断する。そして、外部端末１７０の接続が切断された場合（Ｓ５４でＹＥＳ）には、処理はステップＳ５５に進み、外部端末１７０の接続が切断されていない場合（Ｓ５４でＮＯ）には、処理は終了する。
【００５３】
ステップＳ５５では、空調通信制御部１４１は、記憶部１３３に記憶されている制御対象情報に、切断された外部端末１７０の制御対象としていた空調機１１０の空調機ＩＤを追加する。さらに、空調通信制御部１４１は、空調運転管理部１４４の運転状態保持部１４４ａから、切断された外部端末１７０の制御対象としていた空調機１１０の運転状態を取得し、その運転状態に変更する指令を示すデータを、空調通信部１３１に、その空調機１１０に送信させる。また、操作インタフェース部１５０の表示部１５１は、記憶部１３３に記憶されている制御対象情報に基づいて、制御装置１３０の制御対象とされている空調機１１０のリストを表示する。
【００５４】
図１０は、図６のステップＳ２１における、管理している運転状態を変更する処理を示すフローチャートである。
空調運転管理部１４４の運転状態保持部１４４ａは、操作インタフェース部１５０への入力、又は、記憶部１３３に記憶されているスケジュール情報に基づいてスケジュール運転のイベントが発生した場合には、記憶部１３３に記憶されている運転状態情報において、対応する空調機１１０の運転状態を更新する（Ｓ６０）。
【００５５】
空調運転管理部１４４の運転部１４４ｂは、運転状態の更新によって、空調機１１０の運転状態を変更する指令を行う必要があるか否かを判断する（Ｓ６１）。そのような制御指令を行う必要がある場合（ステップＳ６１でＹＥＳ）には、処理はステップＳ６２に進み、そのような制御指令を行う必要がない場合（ステップＳ６１でＮＯ）には、処理は終了する。
【００５６】
ステップＳ６２では、運転部１４４ｂは、記憶部１３３に記憶されている制御対象情報を参照して、運転状態を変更する指令を示すデータを空調通信制御部１４１に与えて、空調通信部１３１に、運転状態が更新された空調機１１０へ送信させる。
【００５７】
以上のように、実施の形態１における制御装置１３０によれば、制御装置１３０を壁付けリモコンとして設置することで、自由な位置で外部端末１７０をリモコンとして利用することができ、工事費を抑えることができる。
また、空調通信部１３１を従来のリモコン機能と共有できるため、別体でアダプタを作成する場合に比べ安価にシステムを構築することができる。
また、制御装置１３０が空調機１１０Ａを制御し、外部端末１７０が他の空調機１１０Ｂ〜１１０Ｅを制御するようにした場合には、制御装置１３０は、空調機１１０Ａの運転状態を１機分のみ保持するだけでよいので、従来リモコンと同等スペックのＣＰＵを採用でき、安価に装置を実現することができる。
【００５８】
また、外部端末１７０の接続が切断した場合に、制御装置１３０がその代わりに制御を行うため、安全に停止、又は、動作継続を行うことができる。
なお、このような場合でも、制御装置１３０の制御対象に切り替わった旨を示す情報が表示部１５１に表示されるため、そのような切り替わりを容易に把握することができる。
さらに、このような場合に、制御装置１３０の制御対象に切り替えられた空調機１１０の運転状態を、制御装置１３０が制御している他の空調機１１０の運転状態とすることで、制御装置１３０が制御している空調機１１０を一括して管理することができる。
なお、このような場合に、制御装置１３０の制御対象に切り替えられた空調機１１０の運転状態を一度停止することで、ユーザが、制御装置１３０を用いて、新たなに運転状態を設定することができる。
【００５９】
なお、実施の形態１では、外部端末１７０は空調機１１０に対し１対１で用意する構成としたが、複数の空調機１１０を１つの外部端末１７０で制御する構成としてもよい。
【００６０】
実施の形態２
図１に示されているように、実施の形態２に係る空気調和システム２００は、１つ以上の空調機１１０と、制御装置２３０と、１つ以上の外部端末１７０とを備える。
実施の形態２に係る空気調和システム２００は、制御装置２３０を除いて、実施の形態１に係る空気調和システム１００と同様に構成されている。
【００６１】
図４に示されているように、制御装置２３０は、空調通信部１３１と、無線通信部１３２と、記憶部２３３と、制御部２４０と、操作インタフェース部１５０とを備える。
実施の形態２における制御装置２３０は、記憶部２３３及び制御部２４０を除いて、実施の形態１における制御装置１３０と同様に構成されている。
【００６２】
記憶部２３３は、制御装置２３０での処理に必要な情報を記憶する。
例えば、記憶部２３３は、管理状態情報、運転状態情報、外部端末管理情報及びスケジュール情報を記憶する。ここで、運転状態情報及びスケジュール情報は、実施の形態１の記憶部１３３に記憶されている運転状態情報及びスケジュール情報と同様の情報である。
管理状態情報は、空調機１１０毎に、空調機１１０が一括制御されている機器であるか、個別制御されている機器であるかを示す情報である。例えば、管理状態情報は、空調機１１０毎に、空調機ＩＤと、一括制御であること又は個別制御であることを示す制御状態値とを対応付けた情報である。なお、一括制御されている機器である空調機１１０は、制御装置２３０の制御対象となり、個別制御されている機器である空調機１１０は、外部端末１７０の制御対象となる。
外部端末管理情報は、外部端末１７０が制御対象とする空調機１１０を示す情報である。例えば、外部端末管理情報は、個別制御を行う外部端末１７０毎に、外部端末１７０の外部端末ＩＤと、外部端末１７０が制御対象とする空調機１１０の空調機ＩＤとを対応付けた情報である。
【００６３】
制御部２４０は、制御装置２３０での処理を制御する。
制御部２４０は、空調通信制御部２４１と、無線通信制御部２４２と、データ変換部１４３と、空調運転管理部２４４とを備える。
実施の形態２におけるデータ変換部１４３は、実施の形態１におけるデータ変換部１４３と同様の処理を行う。
【００６４】
空調通信制御部２４１は、空調通信部１３１により行われる通信を制御する。
例えば、空調通信制御部２４１は、記憶部２３３に記憶されている管理状態情報を参照して、空調通信部１３１で受信されたデータの送信元が、一括制御されている機器であるか否かを判断する。そして、その受信されたデータの送信元が、一括制御されている機器である場合には、空調通信制御部２４１は、空調運転管理部２４４に、その受信されたデータに基づいて、全ての空調機１１０の運転状態を管理させる。一方、空調通信部１３１で受信されたデータの送信元が、個別制御されている機器である場合には、空調通信制御部２４１は、データ変換部１４３に、その受信されたデータを、無線ネットワーク１８１用のフォーマットのデータに変換させる。そして、空調通信制御部２４１は、無線通信制御部２４２に、変換後のデータを、無線通信部１３２から、その送信元を個別制御している外部端末１７０に送信させる。
【００６５】
無線通信制御部２４２は、無線通信部１３２により行われる通信を制御する。
例えば、無線通信制御部２４２は、記憶部２３３に記憶されている管理状態情報を参照して、無線通信部１３２で受信されたデータの送信先が、個別制御されている機器であるか否かを判断する。そして、その受信されたデータの送信先が、個別制御されている機器である場合には、無線通信制御部２４２は、データ変換部１４３に、その受信されたデータを、空調ネットワーク１８０用のフォーマットのデータに変換させる。そして、無線通信制御部２４２は、空調通信制御部２４１に、変換後のデータを、その個別制御されている機器である空調機１１０へ送信させる。一方、無線通信部１３２で受信されたデータの送信先が、一括制御されている機器である場合には、無線通信制御部２４２は、記憶部２３３に記憶されている管理状態情報において、その受信されたデータの送信先を個別制御されている機器に更新することで、その送信先をその送信元が個別制御している機器に切り替える。そして、無線通信制御部２４２は、データ変換部１４３に、その受信されたデータを、空調ネットワーク１８０用のフォーマットのデータに変換させる。さらに、無線通信制御部２４２は、空調通信制御部２４１に、変換後のデータを、その個別制御されている機器に切り替えられた空調機１１０へ送信させる。
この場合、無線通信制御部２４２は、その空調機１１０が個別制御されている旨を示す情報を操作インタフェース部１５０に表示させる。
【００６６】
空調運転管理部２４４は、空調機１１０の運転状態を管理する運転管理部である。例えば、空調運転管理部２４４は、制御装置２３０が制御対象とする空調機１１０の運転状態を保持し、スケジュール運転又はユーザ操作に従って、空調機１１０の運転状態の変更を指令する。
空調運転管理部２４４は、運転状態保持部２４４ａと、運転部１４４ｂとを備える。
実施の形態２における運転部１４４ｂは、実施の形態１における運転部１４４ｂと同様の処理を行う。
【００６７】
運転状態保持部２４４ａは、空調通信制御部２４１から与えられたデータの送信元である空調機１１０の運転状態が、このデータで示されている運転状態となるように、記憶部２３３に記憶されている運転状態情報を更新する。
また、運転状態保持部２４４ａは、記憶部２３３に記憶されている運転状態情報を更新する。この際、運転状態保持部２４４ａは、記憶部２３３に記憶されている管理状態情報を確認して、個別制御されている機器がある場合には、一括制御されている機器に切り替える。例えば、運転状態保持部２４４ａは、運転部１４４ｂが、空調機１１０の運転状態を変更する場合には、記憶部２３３に記憶されている管理状態情報において、個別制御されている機器を一括制御されている機器に切り替える。この場合、運転状態保持部２４４ａは、その空調機１１０が一括制御されている機器に切り替えられたこと、言い換えると、その空調機１１０が制御装置２３０の制御対象となった旨を示す情報を表示部１５１に表示させる。
【００６８】
図１１は、実施の形態２における制御装置２３０の動作を示すフローチャートである。
制御装置２３０の動作は、図１１に示されているように、３つの処理に大別され、それらは繰り返し実行される。
【００６９】
ステップＳ１ａ
図１１に示されているステップＳ１ａでの処理は、図６に示されているステップＳ１での処理とほぼ同様である。但し、ステップＳ１２ａにおける、受信されたデータに基づいて内部の運転状態を更新する処理が、図６に示されているステップＳ１２での処理と異なっている。ステップＳ１２ａでの処理については、図１２を用いて説明する。
【００７０】
ステップＳ２ａ
図１１に示されているステップＳ２ａでの処理は、図６に示されているステップＳ２での処理とほぼ同様である。但し、ステップＳ１５ａにおける、受信されたデータを変換して空調ネットワーク１８０に中継する処理が、図６に示されているステップＳ１５での処理と異なっている。ステップＳ１５ａでの処理については、図１３を用いて説明する。
また、ステップＳ２ａの処理の後には、処理はステップＳ４ａに進む。
【００７１】
ステップＳ４ａ
図１１に示されているステップＳ４ａでの処理は、図６に示されているステップＳ４での処理とほぼ同様である。但し、ステップＳ２１ａにおける、管理している運転状態を変更する処理が、図６に示されているステップＳ２１での処理と異なっている。ステップＳ２１ａでの処理については、図１４を用いて説明する。
【００７２】
図１２は、図１１のステップＳ１２ａにおける、受信されたデータに基づいて内部の運転状態を更新する処理を示すフローチャートである。
空調通信制御部２４１は、空調通信部１３１で受信されたデータの送信元を解析し、記憶部２３３に記憶されている管理状態情報を参照することで、受信されたデータの送信元が一括制御されている機器であるか否かを確認する（Ｓ７０）。受信されたデータの送信元が一括制御されている機器である場合（Ｓ７１でＹＥＳ）には、処理はステップＳ７２に進み、受信されたデータの送信元が個別制御されている機器である場合（Ｓ７１でＮＯ）には、処理はステップＳ７３に進む。
【００７３】
ステップＳ７２では、空調運転管理部２４４の運転状態保持部２４４ａは、受信されたデータの解析結果に基づいて、記憶部２３３に記憶されている運転状態情報を更新する。また、操作インタフェース部１５０の表示部１５１は、更新された運転状態を示す情報を表示する。
【００７４】
ステップＳ７３では、データ変換部１４３は、受信されたデータを、無線ネットワーク１８１用のフォーマットのデータに変換する。例えば、データ変換部１４３は、受信されたデータのデータ本体を暗号化した上で、記憶部２３３に記憶されている外部端末管理情報を参照して、送信元の空調機１１０を制御対象とする外部端末１７０を宛先とする無線ネットワーク１８１用のヘッダを付与する。そして、データ変換部１４３は、変換後のデータを無線通信制御部２４２に与え、無線通信部１３２から送出させる。
なお、運転状態保持部２４４ａは、ステップＳ７３においても、データ変換部１４３から受信されたデータを受け取り、受信されたデータの解析結果に基づいて、記憶部２３３に記憶されている運転状態情報を更新してもよい。
【００７５】
図１３は、図１１のステップＳ１５ａにおける、受信されたデータを変換して空調ネットワーク１８０に中継する処理を示すフローチャートである。
無線通信制御部２４２は、無線通信部１３２で受信されたデータの送信先を解析し、記憶部２３３に記憶されている管理状態情報を参照することで、受信されたデータの送信先が一括制御されている機器であるか否かを確認する（Ｓ８０）。受信されたデータの送信先が一括制御されている機器である場合（Ｓ８１でＹＥＳ）には、処理はステップＳ８２に進み、受信されたデータの送信先が個別制御されている機器である場合（Ｓ８１でＮＯ）には、処理はステップＳ８４に進む。
【００７６】
ステップＳ８２では、無線通信制御部２４２は、記憶部２３３に記憶されている管理状態情報において、受信されたデータの送信先の空調機１１０の管理状態を、個別制御されている機器に切り替える。また、無線通信制御部２４２は、記憶部２３３に記憶されている外部端末管理情報において、受信されたデータの送信元である外部端末１７０の外部端末ＩＤと、受信されたデータの送信先である空調機１１０の空調機ＩＤとを対応付ける。
そして、操作インタフェース部１５０の表示部１５１は、個別制御されている旨を示す情報を表示する（Ｓ８３）。この際、表示部１５１は、個別制御に切り替えられた空調機１１０を識別することのできる情報も表示することが望ましい。そして、処理はステップＳ８４に進む。
【００７７】
ステップＳ８４では、データ変換部１４３は、受信されたデータを、空調ネットワーク１８０用のフォーマットのデータに変換する。例えば、データ変換部１４３は、受信されたデータのヘッダを除いた部分（データ本体）を復号化した上で、受信されたデータのヘッダを空調ネットワーク１８０用のヘッダに変換する。そして、データ変換部１４３は、変換後のデータを空調通信制御部１４１に与え、空調通信部１３１から送出させる。なお、データ変換部１４３は、受信されたデータの送信元を制御装置２３０に変換してもよい。また、運転状態保持部２４４ａは、ステップＳ８４においても、データ変換部１４３から受信されたデータを受け取り、受信されたデータの解析結果に基づいて、記憶部２３３に記憶されている運転状態情報を更新してもよい。
【００７８】
図１４は、図１１のステップＳ２１ａにおける、管理している運転状態を変更する処理を示すフローチャートである。
空調運転管理部２４４の運転状態保持部２４４ａは、操作インタフェース部１５０への入力、又は、記憶部２３３に記憶されているスケジュール情報に基づいてスケジュール運転のイベントが発生した場合には、記憶部２３３に記憶されている管理状態情報において、個別制御されている空調機１１０があるか否かを確認する（Ｓ９０）。個別制御されている空調機１１０がある場合（Ｓ９１でＹＥＳ）には、処理はステップＳ９２に進み、個別制御されている空調機１１０がない場合（Ｓ９１でＮＯ）には、処理はステップＳ９４に進む。
【００７９】
ステップＳ９２では、運転状態保持部２４４ａは、記憶部２３３に記憶されている管理状態情報において、個別制御されている空調機１１０の管理状態を一括制御されている機器に切り替える。
また、無線通信制御部２４２は、記憶部２３３に記憶されている外部端末管理情報を参照することで、一括制御に切り替えられた空調機１１０を個別制御していた外部端末１７０を特定する。そして、無線通信制御部２４２は、無線通信部１３２に、一括制御に切り替わった旨を示すデータを、特定された外部端末１７０に送信させることで、一括制御に切り替わった旨をその外部端末１７０に通知する（Ｓ９３）。さらに、無線通信制御部２４２は、記憶部２３３に記憶されている外部端末管理情報に格納されている外部端末ＩＤを全て削除する。また、表示部１５１は、その空調機１１０が一括制御されている旨を示す情報を表示する。そして、処理はステップＳ９４に進む。
【００８０】
ステップＳ９４では、運転状態保持部２４４ａは、記憶部２３３に記憶されている運転状態情報において、全ての空調機１１０の運転状態を更新する。そして、運転部２４４ｂは、運転状態を変更する指令を示すデータを空調通信制御部２４１に与えて、空調通信部１３１に、そのデータを同報通信で全ての空調機１１０へ送信させる。
【００８１】
実施の形態２における制御装置２３０によれば、制御装置２３０を、複数台の空調機１１０を一括制御するリモコンとして、外部端末１７０を、個別に空調機１１０を操作するリモコンとして、容易に機能させることができる。
【００８２】
実施の形態２における制御装置２３０によれば、制御装置２３０を、複数台の空調機１１０を一括制御するリモコンとして、外部端末１７０を、個別に空調機１１０を操作するリモコンとして機能させる場合に、一括制御するリモコンの操作者が、一括制御から外れた空調機１１０の存在を速やかに知ることができる。
また、個別操作するリモコンとしての外部端末１７０の操作者が、個別制御から外れたことを速やかに知ることができる。
【００８３】
実施の形態３
図１５は、実施の形態３に係る空気調和システム３００の構成を概略的に示すブロック図である。
空気調和システム３００は、１つ以上の空調機１１０と、複数の制御装置３３０Ａ、３３０Ｂ（以下、特に各々を区別する必要がない場合には、制御装置３３０という）とを備える。
実施の形態３に係る空気調和システム３００は、複数の制御装置３３０Ａ、３００Ｂを備え、制御装置３３０Ｂを、外部端末１７０の代わりに使用できるようにしている。空調機１１０については実施の形態１と同様であるため、以下、制御装置３３０について説明する。
なお、図１５においては、制御装置３３０Ａは、空調ネットワーク１８０及び無線ネットワーク１８１に接続された第１の制御装置であり、制御装置３３０Ｂは、無線ネットワーク１８１に接続された第２の制御装置である。
また、空気調和システム３００に、１つ以上の外部端末１７０が備えられていてもよい。
【００８４】
図１６は、実施の形態３における制御装置３３０の構成を概略的に示すブロック図である。
制御装置３３０は、空調通信部１３１と、無線通信部１３２と、記憶部１３３と、制御部３４０と、操作インタフェース部１５０とを備える。
実施の形態３における制御装置３３０は、制御部３４０を除いて、実施の形態１における制御装置１３０と同様に構成されている。
【００８５】
制御部３４０は、制御装置３３０での処理を制御する。
制御部３４０は、空調通信制御部３４１と、無線通信制御部３４２と、データ変換部１４３と、空調運転管理部３４４とを備える。
実施の形態３におけるデータ変換部１４３は、実施の形態１におけるデータ変換部１４３と同様の処理を行う。
【００８６】
空調通信制御部３４１は、実施の形態１における空調通信制御部１４１と同様の処理を行うほか、以下の処理を行う。
空調通信制御部３４１は、空調ネットワーク１８０を介した通信が有効か無効か、言い換えると、空調通信部１３１により行われる通信が有効か無効か、を判定する。例えば、空調通信制御部３４１は、空調ネットワーク１８０に接続されている空調機１１０の電圧、通信データに対する応答の有無、又は、操作インタフェース部１５０を介したユーザからの設定等により、空調ネットワーク１８０を介した通信が有効か無効かを判定する。
【００８７】
無線通信制御部３４２は、実施の形態１における無線通信制御部１４２と同様の処理を行うほか、以下の処理を行う。
無線通信制御部３４２は、空調通信制御部３４１が空調ネットワーク１８０を介した通信を無効と判定した場合に、無線通信部１３２で受信されたデータを空調運転管理部３４４に与え、空調運転管理部３４４に、無線通信部１３２で受信されたデータに基づいて、無線通信部１３２で受信されたデータの送信元である空調機１１０の運転状態を管理させる。
【００８８】
空調運転管理部３４４は、空調機１１０の運転状態を管理する運転管理部である。例えば、空調運転管理部３４４は、制御装置３３０が制御対象とする空調機１１０の運転状態を保持し、スケジュール運転又はユーザ操作に従って、空調機１１０の運転状態の変更を指令する。
空調運転管理部３４４は、運転状態保持部３４４ａと、運転部３４４ｂとを備える。
【００８９】
運転状態保持部３４４ａは、空調通信制御部３４１又は無線通信制御部３４２から与えられたデータの送信元である空調機１１０の運転状態が、このデータで示されている運転状態となるように、記憶部１３３に記憶されている運転状態情報を更新する。また、運転状態保持部３４４ａは、記憶部１３３に記憶されている運転状態情報を更新する。
【００９０】
運転部３４４ｂは、記憶部１３３に記憶されているスケジュール情報に基づくスケジュール運転又はユーザ操作により、空調機１１０の運転状態を変更する必要があるか否かを判断する。運転部３４４ｂは、空調機１１０の運転状態を変更する必要があると判断した場合には、運転状態保持部３４４ａに指示することで、制御対象の空調機１１０の運転状態を変更するように指示するとともに、空調通信制御部３４１又は無線通信制御部３４２に、対応する運転状態となるように指令するデータを、制御対象の空調機１１０へと送信させる。ここで、運転部３４４ｂは、空調通信制御部３４１が空調ネットワーク１８０を介した通信を有効と判定した場合には、空調通信制御部３４１に、そのデータの送信を指示する。一方、運転部３４４ｂは、空調通信制御部３４１が空調ネットワーク１８０を介した通信を無効と判定した場合には、無線通信制御部３４２に、そのデータの送信を指示する。
【００９１】
図１７は、制御装置３３０の動作を示すフローチャートである。
制御装置３３０の動作は、図１７に示されているように、７つの処理に大別され、それらは繰り返し実行される。
【００９２】
ステップＳ５
空調通信制御部３４１は、空調ネットワーク１８０を介した通信が有効か無効かを判定する（Ｓ１００）。空調ネットワーク１８０を介した通信が有効である場合（Ｓ１０１でＹｅｓ）には、図６に示されているステップＳ１〜Ｓ４の処理と同様の処理が行われる。一方、空調ネットワーク１８０を介した通信が無効である場合（Ｓ１０１でＮｏ）には、処理はステップＳ６に進む。
【００９３】
ステップＳ６
無線通信制御部３４２は、無線通信部１３２が無線ネットワーク１８１からデータを受信したか否かを監視する（Ｓ１０２）。無線通信部１３２がデータを受信した場合（Ｓ１０３でＹＥＳ）には、処理はステップＳ１０４に進み、無線通信部１３２がデータを受信していない場合（Ｓ１０３でＮＯ）には、処理はステップＳ７に進む。
ステップＳ１０４では、空調運転管理部３４４の運転状態保持部３４４ａは、無線通信制御部３４２から受信されたデータを受け取り、その受信されたデータの解析結果に基づいて、記憶部１３３に記憶されている運転状態情報を更新する。また、操作インタフェース部１５０の表示部１５１は、更新された運転状態を示す情報を表示する。
【００９４】
ステップＳ７
空調運転管理部３４４は、操作インタフェース部１５０への入力又は記憶部１３３に記憶されているスケジュール情報に基づくスケジュール運転のイベントが発生したか否かを監視する（Ｓ１０５）。入力又はイベントが発生した場合（Ｓ１０６でＹＥＳ）には、処理はステップＳ１０７に進み、入力又はイベントが発生していない場合（Ｓ１０６でＮＯ）には、処理は終了する。
ステップＳ１０７では、制御装置３３０は、管理している運転状態を変更する処理を実行する。なお、ステップＳ１０７での処理については、図１８を用いて説明する。
【００９５】
図１８は、図１７のステップＳ１０７における、管理している運転状態を変更する処理を示すフローチャートである。
空調運転管理部３４４の運転状態保持部３４４ａは、操作インタフェース部１５０への入力、又は、記憶部１３３に記憶されているスケジュール情報に基づいてスケジュール運転のイベントが発生した場合には、記憶部１３３に記憶されている運転状態情報において、対応する空調機１１０の運転状態を更新する（Ｓ１１０）。
【００９６】
空調運転管理部３４４の運転部３４４ｂは、運転状態の更新によって、対応する空調機１１０に、運転状態を変更する指令を行う必要があるか否かを判断する（Ｓ１１１）。このような指令を行う必要がある場合（ステップＳ１１１でＹＥＳ）には、処理はステップＳ１１２に進み、このような指令を行う必要がない場合（ステップＳ１１１でＮＯ）には、処理は終了する。
【００９７】
ステップＳ１１２では、運転部３４４ｂは、記憶部１３３に記憶されている制御対象情報を参照して、運転状態を変更する指令を示すデータを無線通信制御部３４２に与えて、無線通信部１３２に、運転状態が更新された空調機１１０へ送信させる。
【００９８】
以上のように、実施の形態３に係る空気調和システム３００によれば、制御装置３３０を外部端末１７０の代わりに活用でき、開発共通化及び生産台数増加によりコストを低減することができる。
【００９９】
実施の形態４
図１に示されているように、実施の形態４に係る空気調和システム４００は、１つ以上の空調機１１０と、制御装置４３０と、１つ以上の外部端末４７０Ａ〜４７０Ｄ（以下、各々を特に区別する必要がない場合には、外部端末４７０という）とを備える。
実施の形態４に係る空気調和システム４００は、制御装置４３０及び外部端末４７０を除いて、実施の形態１に係る空気調和システム１００と同様に構成されている。
【０１００】
図１９は、実施の形態４における制御装置４３０の構成を概略的に示すブロック図である。
制御装置４３０は、空調通信部１３１と、無線通信部１３２と、記憶部４３３と、制御部４４０と、操作インタフェース部４５０とを備える。
実施の形態２における制御装置４３０は、記憶部４３３、制御部４４０及び操作インタフェース部４５０を除いて、実施の形態１における制御装置１３０と同様に構成されている。
【０１０１】
記憶部４３３は、制御装置４３０での処理に必要な情報を記憶する。
記憶部４３３は、実施の形態１と同様の情報を記憶している他、操作対象情報を記憶する。
操作対象情報は、制御装置４３０の操作インタフェース部４５０を介して、個別に制御を行う空調機１１０を示す情報である。例えば、操作対象情報は、操作インタフェース部４５０を介して、個別に制御する対象（以下、操作対象ともいう）である１つの空調機１１０の空調機ＩＤを示す情報である。
【０１０２】
制御部４４０は、制御装置４３０での処理を制御する。
制御部４４０は、空調通信制御部１４１と、無線通信制御部４４２と、データ変換部１４３と、空調運転管理部４４４と、操作制御部４４５とを備える。
実施の形態４における制御部４４０は、無線通信制御部４４２、空調運転管理部４４４及び操作制御部４４５を除いて、実施の形態１における制御部１４０と同様に構成されている。
【０１０３】
操作制御部４４５は、操作インタフェース部４５０に入力された操作に応じて、処理を行うとともに、操作インタフェース部４５０に表示する内容を制御する。
操作制御部４４５は、操作情報伝達部４４５ａと、表示情報取得部４４５ｂとを備える。
【０１０４】
操作情報伝達部４４５ａは、操作インタフェース部４５０に入力された操作が、操作対象である空調機１１０を変更するものであるか否かを判断する。例えば、操作情報伝達部４４５ａは、操作インタフェース部４５０に入力された操作が、操作対象を選択する操作であり、選択された空調機１１０が既に選択されている操作対象とは異なる場合には、操作インタフェース部４５０に入力された操作が、操作対象を変更するものであると判断する。そして、操作情報伝達部４４５ａは、操作インタフェース部４５０に入力された操作が操作対象を変更するものである場合には、記憶部４３３に記憶されている操作対象情報を更新して、操作対象を変更する。
一方、操作インタフェース部４５０に入力された操作が、操作対象を変更するものではなく、操作対象の運転状態を変更するものである場合には、操作情報伝達部４４５ａは、記憶部４３３に記憶されている操作対象情報及び制御対象情報を参照することで、操作対象が、制御装置４３０の制御対象であるか否かを判断する。操作対象が、制御装置４３０の制御対象である場合には、操作情報伝達部４４５ａは、空調運転管理部４４４に入力された操作に応じた処理を行うように指示する。操作対象が、制御装置４３０の制御対象ではない場合には、操作情報伝達部４４５ａは、記憶部４３３に記憶されている外部端末情報を参照して、操作対象である空調機１１０を制御対象とする外部端末１７０を特定する。そして、操作情報伝達部４４５ａは、無線通信制御部４４２に、操作により指示された変更後の運転状態を示すデータを、無線通信部１３２から特定された外部端末１７０へ送信させる。これにより、操作制御部４４５は、入力された操作に対応する運転状態を、特定された外部端末に通知する。
【０１０５】
表示情報取得部４４５ｂは、操作情報伝達部４４５ａで操作対象が変更された場合、又は、操作インタフェース部４５０への操作に基づいて操作対象の変更以外の処理が行われた場合に、記憶部４３３に記憶されている操作対象情報及び制御対象情報を参照することで、変更後の操作対象又は操作が行われた操作対象が、制御装置１３０の制御対象であるか否かを判断する。変更後の操作対象又は操作が行われた操作対象が、制御装置４３０の制御対象である場合には、表示情報取得部４４５ｂは、記憶部４３３に記憶されている運転状態情報を参照することで、操作対象の運転状態を特定し、特定された運転状態を操作インタフェース部４５０の表示部１５１に表示させる。一方、変更後の操作対象又は操作が行われた操作対象が、制御装置４３０の制御対象ではない場合には、表示情報取得部４４５ｂは、記憶部４３３に記憶されている外部端末情報を参照することで、操作対象を制御している外部端末１７０を特定する。そして、表示情報取得部４４５ｂは、無線通信部１３２を介して、特定された外部端末１７０から運転状態を取得し、取得された運転状態を示す情報を操作インタフェース部４５０の表示部１５１に表示させる。
【０１０６】
空調運転管理部４４４は、空調機１１０の運転状態を管理する運転管理部である。例えば、空調運転管理部４４４は、制御装置４３０が制御対象とする空調機１１０の運転状態を保持し、スケジュール運転又はユーザ操作に従って、空調機１１０の運転状態の変更を指令する。
実施の形態４における空調運転管理部４４４は、運転状態保持部１４４ａと、運転部４４４ｂとを備える。実施の形態４における運転状態保持部１４４ａは、実施の形態１における運転状態保持部１４４ａと同様の処理を行う。
【０１０７】
実施の形態４における運転部４４４ｂは、ユーザ操作があった場合には、操作情報伝達部４４５ａから指示があった後に、空調機１１０の運転状態を変更する必要があるか否かを判断する。また、運転部４４４ｂは、記憶部４３３に記憶されているスケジュール情報に基づくスケジュール運転により、空調機１１０の運転状態を変更する必要があるか否かを判断する。運転部４４４ｂは、空調機１１０の運転状態を変更する必要があると判断した場合には、運転状態保持部１４４ａに指示することで、制御対象の空調機１１０の運転状態を変更するように指示するとともに、空調通信制御部１４１に、運転状態を変更する指令を示すデータを対応する空調機１１０へ送信させる。
【０１０８】
操作インタフェース部４５０は、表示及び操作の入力を行う。
操作インタフェース部４５０は、表示部１５１と、入力部４５２とを備える。表示部１５１は、実施の形態１の表示部１５１と同様である。
入力部４５２は、操作の入力を受け付ける。例えば、入力部１５２は、ボタンにより構成することができる。
ここで、実施の形態４における入力部４５２は、操作対象とされる空調機１１０を選択する操作の入力を受け付ける。
また、入力部４５２は、操作対象とされる空調機１１０の運転状態を変更する操作の入力を受け付ける。
【０１０９】
図５に示されているように、外部端末４７０は、無線通信部１７１と、記憶部１７２と、制御部４７３と、操作インタフェース部１７６とを備える。
実施の形態４における外部端末４７０は、制御部４７３を除いて、実施の形態１における外部端末１７０と同様に構成されている。
【０１１０】
制御部４７３は、外部端末４７０での処理を制御する。
制御部４７３は、無線通信制御部１７４と、空調運転管理部４７５とを備える。
実施の形態４における無線通信制御部１７４は、実施の形態１における無線通信制御部１７４と同様の処理を行う。
空調運転管理部４７５は、外部端末４７０が制御対象とする空調機１１０の運転状態を保持し、スケジュール運転又はユーザ操作による空調機１１０の運転状態の変更を管理する。ここで、空調運転管理部４７５は、無線通信部１７１及び無線通信制御部１７４を介して、制御装置４３０から、入力された操作に対応する運転状態を示すデータを受け取る。そして、空調運転管理部４７５は、記憶部１７２に記憶されている運転状態情報を、受け取ったデータで示される運転状態を示すように更新する。さらに、空調運転管理部４７５は、無線通信制御部１７４に、受け取ったデータで示される運転状態に変更する指令を示すデータを、無線通信部１７１から制御対象の空調機１１０へ送信させる。
【０１１１】
図２０は、制御装置４３０の動作を示すフローチャートである。
制御装置４３０の動作は、図２０に示されているように、４つの処理に大別され、それらは繰り返し実行される。ここで、図２０に示されているステップＳ１〜ステップＳ３での処理については、図６に示されているステップＳ１〜ステップＳ３での処理と同様である。
【０１１２】
ステップＳ８
操作制御部４４５の操作情報伝達部４４５ａは、操作インタフェース部４５０の入力部４５２に、操作の入力が行われたか否かを判断する（Ｓ１２０）。操作の入力が行われた場合（Ｓ１２０でＹＥＳ）には、処理はステップＳ１２２に進み、操作の入力が行われていない場合（Ｓ１２０でＮＯ）には、処理は終了する。
ステップＳ１２２では、制御装置４３０により操作を行う対象を変更する処理を実行する。なお、ステップＳ１２２での処理については、図２１を用いて説明する。
【０１１３】
図２１は、制御装置４３０により操作を行う対象を変更する処理を示すフローチャートである。
操作情報伝達部４４５ａは、ユーザが入力した操作が操作対象を変更する操作であるか否かを判断する（Ｓ１３０）。ユーザが入力した操作が操作対象を変更する操作である場合（Ｓ１３０でＹＥＳ）には、処理はステップＳ１３１に進む。ユーザが入力した操作が操作対象を変更する操作ではない場合（Ｓ１３０でＮＯ）には、処理はステップＳ１３２に進む。
【０１１４】
ステップＳ１３１では、操作情報伝達部４４５ａは、操作対象情報を更新して、操作対象をユーザにより入力された空調機１１０に変更する。そして、処理はステップＳ１３５に進む。
【０１１５】
ステップＳ１３２では、操作情報伝達部４４５ａは、記憶部４３３に記憶されている操作対象情報及び制御対象情報を参照することで、操作対象とする空調機１１０が、制御装置４３０の制御対象であるか否かを判断する。操作対象が制御装置４３０の制御対象である場合（Ｓ１３２でＹＥＳ）には、処理はステップＳ１３３に進む。操作対象が制御装置４３０の制御対象ではない場合（Ｓ１３２でＮＯ）には、処理はステップＳ１３４に進む。
【０１１６】
ステップＳ１３３では、操作情報伝達部４４５ａは、空調運転管理部４４４に、入力された操作を示す操作情報を伝達する。このような操作情報を受けた空調運転管理部４４４では、運転部４４４ｂが、空調機１１０の運転状態を変更する必要があるか否かを判断する。運転部４４４ｂは、空調機１１０の運転状態を変更する必要があると判断した場合には、運転状態保持部１４４ａに指示することで、制御対象の空調機１１０の運転状態を変更するように指示するとともに、空調通信制御部１４１に、運転状態を変更する指令を示すデータを、空調通信部１３１から対応する空調機１１０へ送信させる。そして、処理はステップＳ１３５に進む。
【０１１７】
ステップＳ１３４では、操作情報伝達部４４５ａは、記憶部４３３に記憶されている外部端末情報を参照することで、操作対象の空調機１１０を制御している外部端末４７０を特定する。そして、操作情報伝達部４４５ａは、無線通信制御部４４２に指示することで、無線通信部１３２を介して、特定された外部端末４７０に、入力された操作に対応する運転状態を示すデータを送信させる。そのようなデータを受信して、外部端末４７０は、内部の運転状態を更新し、無線ネットワーク１８１を介して制御対象の空調機１１０への制御指令を示すデータを送信する。送信されたデータは、ステップＳ２の処理により、制御装置４３０から空調ネットワーク１８０に中継される。そして、処理はステップＳ１３５に進む。
【０１１８】
ステップＳ１３５では、表示情報取得部４４５ｂは、記憶部４３３に記憶されている操作対象情報及び制御対象情報を参照することで、操作対象とする空調機１１０が、制御装置４３０の制御対象であるか否かを判断する。操作対象とする空調機１１０が、制御装置４３０の制御対象である場合（Ｓ１３５でＹＥＳ）には、処理はステップＳ１３６に進む。操作対象とする空調機１１０が、制御装置４３０の制御対象ではない場合（Ｓ１３５でＮＯ）には、処理はステップＳ１３７に進む。
【０１１９】
ステップＳ１３６では、表示情報取得部４４５ｂは、記憶部４３３に記憶されている運転状態情報を参照して、操作対象の運転状態を特定し、特定された運転状態を示す情報を操作インタフェース部４５０の表示部１５１に表示させる。
ステップＳ１３６では、表示情報取得部４４５ｂは、記憶部４３３に記憶されている外部端末情報を参照して、操作対象を制御している外部端末４７０を特定し、特定された外部端末４７０から、操作対象の運転状態を取得して、取得された運転状態を示す情報を操作インタフェース部４５０の表示部１５１に表示させる。
【０１２０】
以上のように、実施の形態４に係る空気調和システム４００によれば、高価な集中コントローラを導入することなく、必要に応じて１つの壁付けリモコンとして使用することのできる制御装置４３０で、複数の空調機１１０を個別管理することができる。
また、実施の形態４に係る空気調和システム４００では、外部端末４７０で個別制御されている空調機１１０に対しても、制御装置４３０から個別に操作を行うことができるため、便利である。
さらに、実施の形態４に係る空気調和システム４００では、外部端末４７０で個別制御されている空調機１１０に対しても、制御装置４３０から個別に操作を行う際に、この空調機１１０の運転状態が、制御装置４３０の表示部１５１に表示されるため、便利である。
【符号の説明】
【０１２１】
１００，２００，３００，４００  空気調和システム、  １１０  空調機、  １１１  空調通信部、  １１２  機器制御部、  １１３  空調機本体、  １３０，２３０，３３０，４３０  制御装置、  １３１  空調通信部、  １３２  無線通信部、  １３３，２３３，４３３  記憶部、  １４０，２４０，３４０，４４０  制御部、  １４１，２４１，３４１  空調通信制御部、  １４２，２４２，３４２，４４２  無線通信制御部、  １４３  データ変換部、  １４４，２４４，３４４，４４４  空調運転管理部、  １４４ａ，２４４ａ，３４４ａ  運転状態保持部、  １４４ｂ，３４４ｂ，４４４ｂ  運転部、  ４４５  操作制御部、  操作情報伝達部４４５ａ、  表示情報取得部４４５ｂ、  １５０  操作インタフェース部、  １５１  表示部、  １５２  入力部、  １７０，４７０  外部端末、  １７１  無線通信部、  １７２  記憶部、  １７３，４７３  制御部、  １７４  無線通信制御部、  １７５，４７５  空調運転管理部、  １７６  操作インタフェース部、  １８０  空調ネットワーク、  １８１  無線ネットワーク、  １９０  メモリ、  １９１  プロセッサ、  １９２  処理回路。
【図１】
2017163308.tif 000003
【図２】
2017163308.tif 000004
【図３】
2017163308.tif 000005
【図４】
2017163308.tif 000006
【図５】
2017163308.tif 000007
【図６】
2017163308.tif 000008
【図７】
2017163308.tif 000009
【図８】
2017163308.tif 000010
【図９】
2017163308.tif 000011
【図１０】
2017163308.tif 000012
【図１１】
2017163308.tif 000013
【図１２】
2017163308.tif 000014
【図１３】
2017163308.tif 000015
【図１４】
2017163308.tif 000016
【図１５】
2017163308.tif 000017
【図１６】
2017163308.tif 000018
【図１７】
2017163308.tif 000019
【図１８】
2017163308.tif 000020
【図１９】
2017163308.tif 000021
【図２０】
2017163308.tif 000022
【図２１】
2017163308.tif 000023
【国際調査報告】
2017163308.tif 000024
2017163308.tif 000025